(57)【要約】【課題】  編集作業を大幅に効率化することができる映像記録装置を提供する。【解決手段】  カメラ部１０１より入力された映像信号をテープ記録再生部１０５によってテープカセットに第１の圧縮方式にて動画として記録する。テープ記録再生部１０５における１回の記録開始から記録停止までの１カット毎に、同じ映像信号をメモリカード記録再生部１２４によってメモリカード１２８に第２の圧縮方式にて同時に動画ファイルとして記録する。タイムコード発生部１０８で発生したそれぞれのカットの記録開始時点と記録停止時点のタイムコードをメモリカード１２８にデータファイルとして記録する。【選択図】      図１
2005109923.tif 000002
【特許請求の範囲】
【請求項１】
映像信号入力部より入力された映像信号を記録媒体に記録する映像記録装置において、
前記映像信号を第１の記録媒体に第１の圧縮方式にて動画として記録する第１の記録部と、
前記映像信号を前記第１の記録媒体とは記録方式の異なる第２の記録媒体に前記第１の圧縮方式とは異なる第２の圧縮方式にて、前記第１の記録部での記録と同時に動画として記録する第２の記録部とを備えて構成したことを特徴とする映像記録装置。
【請求項２】
時刻情報を発生する時刻情報発生部を備え、
前記第１の記録部は、前記第１の記録媒体に前記映像信号と共に前記時刻情報発生部が発生する時刻情報を記録し、
前記第２の記録部は、前記第２の記録媒体に前記第１の記録部における１回の記録開始から記録停止までの１カット毎に前記第２の圧縮方式による動画ファイルを記録すると共に、それぞれの動画ファイルに対応させて、前記時刻情報発生部が発生するそれぞれのカットの記録開始時点を示す第１の時刻情報と記録停止時点を示す第２の時刻情報とを含むデータファイルを記録することを特徴とする請求項１記載の映像記録装置。
【請求項３】
前記第２の記録部に記録された動画ファイルを消去する消去手段を備え、
前記消去手段による動画ファイルの消去に伴って、前記データファイルから、消去した動画ファイルに対応した前記第１及び第２の時刻情報を消去することなく維持し、前記第１の記録部に記録した前記消去した動画ファイルに対応した映像信号を消去することなく維持することを特徴とする請求項２記載の映像記録装置。
【請求項４】
テープカセットに記録された映像信号を編集する際に使用する編集データを作成する編集データ作成装置において、
前記テープカセットに映像信号を記録した際の１回の記録開始から記録停止までの１カット毎に作成された動画ファイルと、それぞれの動画ファイルに対応し、それぞれのカットの記録開始時点を示す第１の時刻情報と記録停止時点を示す第２の時刻情報とを含むデータファイルとが記録された記録媒体から前記動画ファイルと前記データファイルとを読み出す読み出し手段と、
前記それぞれの動画ファイルに基づいて、前記それぞれの動画ファイルに対応したサムネイル画像を生成するサムネイル画像生成手段と、
前記サムネイル画像生成手段によって生成した複数のサムネイル画像と、前記読み出し手段によって読み出した前記データファイルより抽出したそれぞれのサムネイル画像に対応した前記第１及び第２の時刻情報とを第１のウィンドウ内に並べて表示する第１のウィンドウ表示手段と、
前記第１のウィンドウ内に表示された前記複数のサムネイル画像より選択された複数のサムネイル画像とそれぞれのサムネイル画像に対応した編集の開始点と編集の終了点とを第２のウィンドウ内に並べて表示する第２のウィンドウ表示手段と、
前記第２のウィンドウ内に表示された前記編集の開始点及び前記編集の終了点に基づいて、前記テープカセットに記録された映像信号を編集する際に使用する編集リストを作成する編集リスト作成手段とを備えて構成したことを特徴とする編集データ作成装置。
【請求項５】
前記第１のウィンドウ内に表示された前記複数のサムネイル画像より選択された１つのサムネイル画像に対応した動画ファイルを動画として再生する動画再生手段と、
前記動画再生手段にて再生する動画ファイルの再生領域と、この動画ファイルの前記第１の時刻情報と前記第２の時刻情報との間で任意に前記編集の開始点及び前記編集の終了点を設定する編集ポイント指定領域とを第３のウィンドウ内に表示する第３のウィンドウ表示手段とを備えて構成したことを特徴とする請求項４記載の編集データ作成装置。
【請求項６】
テープカセットに記録された映像信号を編集する際に使用する編集データを作成する処理をコンピュータに実行させる編集データ作成プログラムにおいて、
前記コンピュータに、
前記テープカセットに映像信号を記録した際の１回の記録開始から記録停止までの１カット毎に作成された動画ファイルと、それぞれの動画ファイルに対応し、それぞれのカットの記録開始時点を示す第１の時刻情報と記録停止時点を示す第２の時刻情報とを含むデータファイルとが記録された記録媒体から前記動画ファイルと前記データファイルとを読み出す読み出しステップと、
前記それぞれの動画ファイルに基づいて、前記それぞれの動画ファイルに対応したサムネイル画像を生成するサムネイル画像生成ステップと、
前記サムネイル画像生成ステップにて生成した複数のサムネイル画像と、前記読み出しステップにて読み出した前記データファイルより抽出したそれぞれのサムネイル画像に対応した前記第１及び第２の時刻情報とを第１のウィンドウ内に並べて表示する第１のウィンドウ表示ステップとを少なくとも実行させる第１のプログラムと、
前記コンピュータに、
前記第１のウィンドウ内に表示された前記複数のサムネイル画像より選択された複数のサムネイル画像とそれぞれのサムネイル画像に対応した編集の開始点と編集の終了点とを第２のウィンドウ内に並べて表示する第２のウィンドウ表示ステップと、
前記第２のウィンドウ内に表示された前記編集の開始点及び前記編集の終了点に基づいて、前記テープカセットに記録された映像信号を編集する際に使用する編集リストを作成する編集リスト作成ステップとを少なくとも実行させる第２のプログラムとを含むことを特徴とする編集データ作成プログラム。
【請求項７】
前記コンピュータに、
前記第１のウィンドウ内に表示された前記複数のサムネイル画像より選択された１つのサムネイル画像に対応した動画ファイルを動画として再生して、第３のウィンドウ内に表示する第３のウィンドウ表示ステップと、
前記第３のウィンドウ内に表示された動画ファイルの前記第１の時刻情報と前記第２の時刻情報との間で任意に前記編集の開始点及び前記編集の終了点を設定する編集ポイント指定ステップとを少なくとも実行させる第３のプログラムを含むことを特徴とする請求項６記載の編集データ作成プログラム。
【発明の詳細な説明】
【技術分野】
【０００１】
本発明は、例えばカメラ一体型ＶＴＲのような映像記録装置、映像記録装置で記録した映像を編集する際に用いる編集データを生成する編集データ作成装置及び編集データ作成プログラムに関する。
【背景技術】
【０００２】
映像信号を記録して編集する場合、従来は、記録媒体としてテープに記録し、このテープに記録された映像信号をテープに編集するのが一般的であった。テープによる編集にはかなりの時間がかかり、編集作業の効率が悪い。そこで近年は、ハードディスクに映像信号を記録し、そのデータを編集するいわゆるノンリニア編集が主流になっている。ノンリニア編集は、パーソナル・コンピュータまたはそれに類する編集装置にて行われる。ノンリニア編集は、ハードディスク上のデータをつなぎ合わせることにより行われるので、頭出しやダビングの時間がほとんどかからず、編集作業の効率が極めてよい。
【０００３】
ところで、カメラ一体型ＶＴＲのような映像信号を記録する映像記録装置においては、依然としてテープが主要な記録媒体である。これは、半導体メモリ，ハードディスク，光ディスク等のランダムアクセス可能な記録媒体は、テープと比較して記録容量が小さく、高画質な長時間記録ができないためである。従って、ハードディスクを用いたノンリニア編集を行う場合であっても、映像信号を一旦テープに記録し、テープに記録した映像信号をハードディスク上で編集することとなる。
【０００４】
カメラ一体型ＶＴＲで記録した映像信号を編集するに際し、編集を迅速かつ容易に行うための提案の一例としては、下記特許文献１に記載のものがある。
【特許文献１】特許第２９８３６４２号公報
【発明の開示】
【発明が解決しようとする課題】
【０００５】
テープに記録した映像信号をハードディスク上で編集するノンリニア編集を行う際、テープに記録された映像信号をハードディスクに取り込むには、テープの再生時間だけ時間がかかる。例えば６０分のテープに記録された映像信号をハードディスクに取り込むには、６０分かかってしまう。従来のノンリニア編集の方法では、テープに記録された６０分の映像信号の一部のみ利用して編集したい場合でも、全ての映像信号をハードディスクに取り込むことが必要となり、取り込み作業に時間がかかってしまうという問題点があった。
【０００６】
本発明はこのような問題点に鑑みなされたものであり、記録媒体（例えばテープ）に映像信号を記録する映像記録装置において、編集作業を大幅に効率化することができる映像記録装置を提供することを目的とする。さらに、記録媒体（例えばテープ）に記録された映像信号を編集するに際し、編集作業を大幅に効率化することができる編集データを生成することができる編集データ作成装置及び編集データ作成プログラムを提供することを目的とする。
【課題を解決するための手段】
【０００７】
本発明は、上述した従来の技術の課題を解決するため、
（ａ）映像信号入力部より入力された映像信号を記録媒体に記録する映像記録装置において、前記映像信号を第１の記録媒体（１２０）に第１の圧縮方式にて動画として記録する第１の記録部（１０５）と、前記映像信号を前記第１の記録媒体とは記録方式の異なる第２の記録媒体（１２８）に前記第１の圧縮方式とは異なる第２の圧縮方式にて、前記第１の記録部での記録と同時に動画として記録する第２の記録部（１２４）とを備えて構成したことを特徴とする映像記録装置を提供し、
（ｂ）テープカセット（１２０）に記録された映像信号を編集する際に使用する編集データを作成する編集データ作成装置において、前記テープカセットに映像信号を記録した際の１回の記録開始から記録停止までの１カット毎に作成された動画ファイルと、それぞれの動画ファイルに対応し、それぞれのカットの記録開始時点を示す第１の時刻情報と記録停止時点を示す第２の時刻情報とを含むデータファイルとが記録された記録媒体（１２８）から前記動画ファイルと前記データファイルとを読み出す読み出し手段（２０４，２０５）と、前記それぞれの動画ファイルに基づいて、前記それぞれの動画ファイルに対応したサムネイル画像を生成するサムネイル画像生成手段（２０５）と、前記サムネイル画像生成手段によって生成した複数のサムネイル画像と、前記読み出し手段によって読み出した前記データファイルより抽出したそれぞれのサムネイル画像に対応した前記第１及び第２の時刻情報とを第１のウィンドウ内に並べて表示する第１のウィンドウ表示手段（７１，２０５，２０７）と、前記第１のウィンドウ内に表示された前記複数のサムネイル画像より選択された複数のサムネイル画像とそれぞれのサムネイル画像に対応した編集の開始点と編集の終了点とを第２のウィンドウ内に並べて表示する第２のウィンドウ表示手段（７３，２０５，２０７）と、前記第２のウィンドウ内に表示された前記編集の開始点及び前記編集の終了点に基づいて、前記テープカセットに記録された映像信号を編集する際に使用する編集リストを作成する編集リスト作成手段（７３，２０５）とを備えて構成したことを特徴とする編集データ作成装置を提供し、
（ｃ）テープカセット（１２０）に記録された映像信号を編集する際に使用する編集データを作成する処理をコンピュータ（２）に実行させる編集データ作成プログラムにおいて、前記コンピュータに、前記テープカセットに映像信号を記録した際の１回の記録開始から記録停止までの１カット毎に作成された動画ファイルと、それぞれの動画ファイルに対応し、それぞれのカットの記録開始時点を示す第１の時刻情報と記録停止時点を示す第２の時刻情報とを含むデータファイルとが記録された記録媒体（１２８）から前記動画ファイルと前記データファイルとを読み出す読み出しステップと、前記それぞれの動画ファイルに基づいて、前記それぞれの動画ファイルに対応したサムネイル画像を生成するサムネイル画像生成ステップと、前記サムネイル画像生成ステップにて生成した複数のサムネイル画像と、前記読み出しステップにて読み出した前記データファイルより抽出したそれぞれのサムネイル画像に対応した前記第１及び第２の時刻情報とを第１のウィンドウ内に並べて表示する第１のウィンドウ表示ステップとを少なくとも実行させる第１のプログラム（７１）と、前記コンピュータに、前記第１のウィンドウ内に表示された前記複数のサムネイル画像より選択された複数のサムネイル画像とそれぞれのサムネイル画像に対応した編集の開始点と編集の終了点とを第２のウィンドウ内に並べて表示する第２のウィンドウ表示ステップと、前記第２のウィンドウ内に表示された前記編集の開始点及び前記編集の終了点に基づいて、前記テープカセットに記録された映像信号を編集する際に使用する編集リストを作成する編集リスト作成ステップとを少なくとも実行させる第２のプログラム（７３）とを含むことを特徴とする編集データ作成プログラムを提供するものである。
【発明の効果】
【０００８】
本発明の映像記録装置によれば、編集作業を大幅に効率化することができる。本発明の編集データ作成装置及び編集データ作成プログラムによれば、編集作業を大幅に効率化することができる編集データを生成することができる。
【発明を実施するための最良の形態】
【０００９】
以下、本発明の映像記録装置、編集データ作成装置及び編集データ作成プログラムについて、添付図面を参照して説明する。図１は本発明の映像記録装置及び編集データ作成装置の一実施形態を示すブロック図、図２は図１中のテープ記録再生部１０５の具体的構成例を示すブロック図、図３はテープの記録パターンの一例を示す図、図４はタイムコードの一例を示す図、図５及び図６は本発明の映像記録装置の外観の一例を示す斜視図、図７は図１中のＣＰＵ１２１の処理手順を示すフローチャート、図８は図１中のＣＰＵ１２５の処理手順を示すフローチャート、図９は図１中のメモリカード１２８に記録されるＣＳＶファイル及びこのＣＳＶファイルに基づいて作成されるカットテーブルの一例を示す図、図１０はビューワプログラム７１に基づいて表示されるビューワウィンドウの一例を示す図、図１１は動画再生プログラム７２に基づいて表示される動画再生ウィンドウの一例を示す図、図１２はビューワウィンドウと動画再生ウィンドウとＥＤＬ作成プログラム７３に基づいて表示されるＥＤＬ作成ウィンドウとを併せて表示した状態の一例を示す図、図１３はＥＤＬ作成ウィンドウの一例を示す図、図１４はＥＤＬファイルとして構成された編集リストの一例を示す図である。
【００１０】
まず、本発明の映像記録装置の一実施形態であるカメラ一体型ＶＴＲ１について説明する。図５，図６はカメラ一体型ＶＴＲ１の外観の一例を示している。図５，図６に示すように、カメラ一体型ＶＴＲ１は、レンズ等を含むカメラ部１０１と、ミニＤＶ方式等のテープカセット１２０を装着してカメラ部１０１にて撮像した映像信号やここでは図示していないマイクロフォンにて集音した音声信号を記録再生するテープ記録再生部１０５を備える。カメラ部１０１は映像信号入力部の一例である。本実施形態では、テープカセット１２０はＤＶＣ（Digital Video Cassette）であるが、これに限定されるものではない。
【００１１】
さらに、カメラ一体型ＶＴＲ１は、テープ記録再生部１０５を収納する筐体１０に着脱自在とされ、メモリカード１２８にカメラ部１０１にて撮像した映像信号やここでは図示していないマイクロフォンにて集音した音声信号を記録再生するメモリカード記録再生部１２４を備える。メモリカード１２８はテープカセット１２０とは記録方式の異なる記録媒体の一例である。本実施形態では、メモリカード記録再生部１２４を筐体１０の背面部に装着するよう構成しているが、筐体１０の底面部に装着するよう構成してもよく、装着する場所は任意である。また、メモリカード記録再生部１２４を筐体１０内に内蔵してもよい。カメラ一体型ＶＴＲ１に対してメモリカード１２８が着脱自在であればよい。
【００１２】
次に、図１を用いてカメラ一体型ＶＴＲ１の詳細な内部構成について説明する。図１において、カメラ部１０１にて撮像した映像信号とマイクロフォン１０２にて集音した音声信号は経路切換部１０３に入力される。録画（録音を含む、以下同じ）開始のため、操作部１２２に設けられた操作釦の１つであり、図５に示すようにカメラ部１０１の近傍に設けられた録画開始／停止釦1221が押されると、ＣＰＵ（中央制御部）１２１は、映像信号及び音声信号をテープ記録再生部１０５に供給するよう経路切換部１０３を制御すると共に、動画による録画を開始するようテープ記録再生部１０５を制御する。カメラ部１０１にて撮像した映像信号は液晶モニタ１０４に供給されて表示される。
【００１３】
本実施形態では、テープ記録再生部１０５におけるテープカセット１２０への録画と併せて、映像信号及び音声信号をメモリカード記録再生部１２４にも供給してメモリカード１２８にも動画による録画を行うようになっている。即ち、同じ映像信号及び音声信号の内容がテープカセット１２０とメモリカード１２８の双方に同時に記録される。メモリカード１２８は一例としてコンパクトフラッシュ（登録商標）である。なお、同時に記録とは、必ずしもテープカセット１２０への記録とメモリカード１２８への記録とのタイミングが完全に一致していることを意味するものではなく、記録（書き込み）速度や駆動系の違いにより両者の記録タイミングに若干のずれがあってもよい。
【００１４】
テープ記録再生部１０５にて再生された映像信号及び音声信号をカメラ一体型ＶＴＲ１の外部にて利用する場合には、映像信号及び音声信号を経路切換部１０３を経由してＤＶインタフェース（ＤＶ-I/F）１２３を介してカメラ一体型ＶＴＲ１の外部へと出力する。また、再生した映像信号をカメラ部１０１にて撮像した映像信号の代わりに液晶モニタ１０４に供給して表示することもできる。ＣＰＵ１２１は、経路切換部１０３及びテープ記録再生部１０５の他、ズーム等の行うためカメラ部１０１を制御したり、ＤＶインタフェース１２３を制御したり、メモリカード記録再生部１２４に設けられたＣＰＵ１２５に指示してメモリカード記録再生部１２４を制御する。
【００１５】
テープ記録再生部１０５は図２に示すように構成される。テープ記録再生部１０５の回路各部はＣＰＵ１２１にて制御される。図２において、経路切換部１０３より出力された映像信号は映像信号圧縮部１０６に入力される。映像信号圧縮部１０６は入力された映像信号をＡ／Ｄ変換し、フレーム内符号化を用いたいわゆるＤＶ圧縮を施して圧縮映像信号として出力する。テープカセット１２０としてＤＶＣを用いた場合でも、MPEG2による圧縮を行う場合もある。経路切換部１０３より出力された音声信号は音声信号変調部１０７に入力される。音声信号変調部１０７は入力された音声信号Ａ／Ｄ変換し、シャフリング等の処理を施して出力する。タイムコード発生部１０８は時刻情報としてのタイムコードを発生する。なお、タイムコードは、録画中のみに時刻をインクリメントするものと、常時時刻をインクリメントするもの等があるがいずれでもよい。
【００１６】
マルチプレクス・誤り訂正符号化部１０９は、映像信号圧縮部１０６より出力された圧縮映像信号と音声信号変調部１０７より出力された音声信号とタイムコード発生部１０８より出力されたタイムコードとをマルチプレクスして、誤り訂正符号化する。マルチプレクス・誤り訂正符号化部１０９の出力は記録変調部１１０によってテープカセット１２０のテープ120Tへの記録のために変調される。記録変調部１１０の出力は記録アンプ１１１により増幅され、記録ヘッド１１２にてテープ120Tに記録される。記録ヘッド１１２は図示していない回転ドラムに設けられている。
【００１７】
図３はテープ120T上の記録パターンを示している。図３において、映像信号はビデオエリアＡｖに記録され、音声信号はオーディオエリアＡａに記録され、タイムコードはサブコードエリアＡｓの一部として記録される。ＡｉはＩＴＩ（Insert and Track Information）エリアである。図４はタイムコードの一例を示している。図４に示すように、１フレームは８０ビットで構成されており、ＮＴＳＣ方式の場合、００フレームから２９フレームまでの番号が付される。ビット０〜３がフレームの１の位を示し、ビット８，９がフレームの１０の位を示す。秒の１の位と１０の位、分の１の位と１０の位、時の１の位と１０の位が図示のビットに割り当てられている。また、ユーザーズビットが図示のビットに割り当てられている。
【００１８】
図２に戻り、テープ120Tに記録された各種の信号は再生ヘッド１１３にて再生され、再生アンプ１１４により増幅されて再生復調部１１５に入力される。再生復調部１１５は映像信号及び音声信号やタイムコードを再生するために復調し、復調したこれらの信号をデマルチプレクス・誤り訂正復号化部１１６に供給する。デマルチプレクス・誤り訂正復号化部１１６は、入力された信号を誤り訂正復号化すると共に、圧縮映像信号と音声信号とタイムコードとにデマルチプレクスする。圧縮映像信号は映像信号伸張部１１７に入力され、音声信号は音声信号復調部１１８に入力され、タイムコードはタイムコード再生部１１９に入力される。
【００１９】
映像信号伸張部１１７は圧縮映像信号を伸張し、Ｄ／Ａ変換して出力する。音声信号復調部１１８は音声信号を復調し、Ｄ／Ａ変換して出力する。タイムコード再生部１１９は入力されたタイムコードを基にして時刻情報を再生する。映像信号伸張部１１７より出力された映像信号と音声信号復調部１１８より出力された音声信号とタイムコード再生部１１９より出力された時刻情報は、経路切換部１０３に入力される。上記のように、テープ記録再生部１０５にて再生された映像信号は液晶モニタ１０４に表示されたり、映像信号と音声信号と時刻情報はＤＶインタフェース（ＤＶ-I/F）１２３を介してカメラ一体型ＶＴＲ１の外部へと出力される。
【００２０】
図１に示すように、メモリカード記録再生部１２４は、ＣＰＵ１２５と、映像信号及び音声信号を圧縮／伸張する圧縮／伸張部１２６と、メモリカード１２８を装着する収納部であり、メモリカード１２８に電気的及び機械的に接触するカードスロット１２７とを備える。圧縮／伸張部１２６は入力された映像信号を圧縮方式の一例としてＭＰＥＧ４（ISO/IEC14496/MPEG-4, ITU-T H.264）にて圧縮し、入力された音声信号を圧縮方式の一例としてITU-T G.726にて圧縮する。圧縮／伸張部１２６にて圧縮された映像信号及び音声信号はＣＰＵ１２５に入力される。ＣＰＵ１２５は入力された映像信号と音声信号とをマルチプレクスしてカードスロット１２７に供給する。
【００２１】
ＣＰＵ１２５は、カードスロット１２７を介してメモリカード１２８に情報を書き込んだりメモリカード１２８から情報を読み出すドライバとして動作する。ＣＰＵ１２５は、マルチプレクスされた映像信号及び音声信号を、カードスロット１２７を介してメモリカード１２８に書き込む。ＣＰＵ１２５は、マルチプレクスされた映像信号及び音声信号の他に、メモリカード１２８に後述するＣＳＶファイルを書き込むよう制御する。ところで、ミニＤＶ方式のテープカセット１２０にはＤＶ圧縮の映像信号が６０分以上記録できる。メモリカード１２８の容量が６４Ｍバイトであるとすると、メモリカード１２８にはＭＰＥＧ４にて転送レート１２８kbpsの映像信号が６０分以上記録できる。よって、メモリカード１２８にはテープカセット１２０に記録する映像信号及び音声信号の全てを同時に記録することができる。
【００２２】
メモリカード１２８に記録された映像信号及び音声信号を再生する場合には、マルチプレクスされた映像信号及び音声信号はカードスロット１２７を介してＣＰＵ１２５に入力される。ＣＰＵ１２５は、映像信号と音声信号とをデマルチプレクスして圧縮／伸張部１２６に入力する。圧縮／伸張部１２６は映像信号をＭＰＥＧ４にて伸張し、音声信号をITU-T G.726にて伸張して、それぞれ元の映像信号と音声信号とを復元する。復元した映像信号は、ＣＰＵ１２１及び経路切換部１０３を介して液晶モニタ１０４に表示することができ、また、ＣＰＵ１２１及びＤＶインタフェース１２３を介してカメラ一体型ＶＴＲ１の外部へと出力することができる。
【００２３】
ここで、テープ記録再生部１０５とメモリカード記録再生部１２４とにおける同時録画の際の具体的動作について詳述する。図７はテープ記録再生部１０５を制御するＣＰＵ１２１の処理手順を示し、図８はメモリカード記録再生部１２４を制御するＣＰＵ１２５の処理手順を示している。まず図７において、ＣＰＵ１２１はステップＳ１にて録画開始／停止釦1221が押されて録画開始の指示が検出されたか否か判定し、録画開始の指示が検出されなかったらステップＳ１に戻る。録画開始の指示が検出されたら、ＣＰＵ１２１はステップＳ２にてテープカセット１２０のテープ120Tへの録画を開始するよう処理する。そして、ＣＰＵ１２１はステップＳ３にてＣＰＵ１２５と通信を行って録画開始の指示を伝達する。
【００２４】
次に、ＣＰＵ１２１はステップＳ４にてテープ記録再生部１０５内のタイムコード発生部１０８と通信を行って、録画開始時点のタイムコードＴＣstartを取得する。ＣＰＵ１２１はステップＳ５にて録画開始／停止釦1221が押されて録画停止の指示が検出されたか否か判定し、録画停止の指示が検出されなかったらステップＳ５に戻る。録画停止の指示が検出されたら、ＣＰＵ１２１はステップＳ６にてテープカセット１２０のテープ120Tへの録画を停止するよう処理する。ＣＰＵ１２１はステップＳ７にてＣＰＵ１２５と通信を行って録画停止の指示を伝達する。
【００２５】
そして、ＣＰＵ１２１はステップＳ８にてタイムコード発生部１０８と通信を行って、録画停止時点のタイムコードＴＣstopを取得する。この後、ＣＰＵ１２１はステップＳ９にてＣＰＵ１２５と通信を行ってステップＳ４にて取得した録画開始時点のタイムコードＴＣstartと、ステップＳ８にて取得した録画停止時点のタイムコードＴＣstopとをＣＰＵ１２５に伝達する。
【００２６】
一方、ＣＰＵ１２５の処理手順を示す図８において、ＣＰＵ１２５はステップＳ１１にてＣＰＵ１２１から録画開始の指示が伝達されたか否か判定し、録画開始指示の伝達が検出されなかったらステップＳ１１に戻る。録画開始指示の伝達が検出されたら、ＣＰＵ１２５はステップＳ１２にて動画ファイル名を作成する。動画ファイルとは上述した圧縮されてマルチプレクスされた映像信号及び音声信号よりなるasfファイルである。動画ファイル名は一例としてmc0001.asfであり、動画ファイル名の作成のたびにmc0002.asf，mc0003.asf…のように番号をインクリメントしていく。動画ファイル名を作成したら、ＣＰＵ１２５はステップＳ１３にて圧縮／伸張部１２６を制御して動画ファイルの作成（エンコード）を開始させる。
【００２７】
次に、ＣＰＵ１２５はステップＳ１４にて録画停止の指示が伝達されたか否か判定し、録画停止指示の伝達が検出されなかったらステップＳ１４に戻る。録画停止指示の伝達が検出されたら、ＣＰＵ１２５はステップＳ１５にて圧縮／伸張部１２６を制御して動画ファイルの作成を終了させ、メモリカード１２８に書き込む。そして、ＣＰＵ１２５はステップＳ１６にてＣＰＵ１２１より録画開始時点のタイムコードＴＣstartと録画停止時点のタイムコードＴＣstopとを取得する。ＣＰＵ１２５はステップＳ１７にてメモリカード１２８に既にＣＳＶファイルが存在しているか否かを判定する。ＣＳＶファイルが存在していなければ、ＣＰＵ１２５はステップＳ１８にてＣＳＶファイルを作成してメモリカード１２８に書き込む。ＣＳＶファイルが存在していれば、ＣＰＵ１２５はステップＳ１９にてＣＳＶファイルに動画ファイル名と録画開始時点のタイムコードＴＣstartと録画停止時点のタイムコードＴＣstopとを追記し、ステップＳ２０にてＣＳＶファイルを閉じる。
【００２８】
図９（Ａ）はＣＳＶファイルの一例である。ＣＳＶファイルのファイル名として図４に示すタイムコードのユーザーズビットを使用する。ユーザーズビットには取材用のメモ等を入力することができ、何も入力しない状態（デフォルトの状態）ではユーザーズビットは全て０となっている。図９（Ａ）はユーザーズビットに何も入力しなかった場合のファイル名であり、“00000000.csv”となっている。操作部１２２に設けられた釦によって任意のファイル名を入力してもよい。ＣＳＶファイルには、それぞれの動画ファイル名（asfファイル名）に対応させて、録画開始時点のタイムコードＴＣstartと録画停止時点のタイムコードＴＣstopとが記録される。なお、図９（Ａ）では理解を容易にするためＣＳＶファイルを表形式にて図示しているが、ＣＳＶファイルは実際には各データをカンマにて区切ったデータ列である。
【００２９】
１つのテープカセット１２０に対して、ＣＳＶファイルのファイル名として割り当てるタイムコードのユーザーズビットを１つ設定したとすれば、図９（Ａ）に示すようなＣＳＶファイルは使用するテープカセット１２０毎に作成されることになる。図８のステップＳ１７は、使用しているテープカセット１２０に対応したＣＳＶファイルがメモリカード１２８に存在しているかを判定するものである。即ち、ＣＳＶファイル“00000000.csv”がメモリカード１２８に存在していて、新たに使用されたテープカセット１２０にユーザーズビットとして00000001を入力した場合には、新たにＣＳＶファイル“00000001.csv”が作成される。
【００３０】
逆に、複数のテープカセット１２０のいずれに対しても、ユーザーズビットをデフォルトの状態のままとした場合には、１つのＣＳＶファイル“00000000.csv”に複数のテープカセット１２０の動画ファイル名と録画開始時点のタイムコードＴＣstartと録画停止時点のタイムコードＴＣstopとが記録されることになる。
【００３１】
図１に示すように、メモリカード１２８には、以上のように作成された１または複数のＣＳＶファイルと、１または複数の動画ファイルとが記録される。動画ファイルはテープ記録再生部１０５での１回の録画開始・停止のたびに作成されるため通常は複数であり、この複数の動画ファイルは、カメラ部１０１にて撮影してテープ記録再生部１０５にてテープカセット１２０に録画した各シーン（カット）を示す。図１のメモリカード１２８に対して付記している動画ファイル１，２は例えばmc0001.asf，mc0002.asfに対応する。
【００３２】
図６に示すように、液晶モニタ１０４の近傍には図１の操作部１２２における操作釦の１つとしてのテーブル表示釦1222が設けられている。テーブル表示釦1222が押されると、ＣＰＵ１２１はメモリカード１２８に記録されたＣＳＶファイルを基にして図９（Ｂ）に示すような各カット毎の録画開始時点のタイムコードＴＣstartと録画停止時点のタイムコードＴＣstopとを示すカットテーブルＣＴＢを液晶モニタ１０４に表示させる。図９（Ｂ）において、ハッチングはカーソル位置を示しており、カーソル釦1223にて動画ファイルを選択することができる。再生釦1224が押されたら、ＣＰＵ１２１はＣＰＵ１２５に指示して、カーソルにて選択した動画ファイルを再生させて液晶モニタ１０４に表示させる。なお、1225は停止釦、1226は消去釦である。
【００３３】
不要なカットがあった場合には、消去釦1226を押すことによって動画ファイルを消去することができる。消去釦1226が押されたら、ＣＰＵ１２１はＣＰＵ１２５に指示して、メモリカード１２８から消去の操作を行った動画ファイルを消去する。但し、ＣＰＵ１２１（ＣＰＵ１２５）は、ＣＳＶファイルから、消去した動画ファイルの動画ファイル名と録画開始時点のタイムコードＴＣstartと録画停止時点のタイムコードＴＣstopとを消去しない。また、ＣＰＵ１２１（テープ記録再生部１０５）はテープカセット１２０に録画した映像信号及び音声信号を消去しない。不要なカットの動画ファイルを消去することにより、メモリカード１２８の残容量を増やすことができる。ＣＳＶファイルの情報を消去しないのは、後述する編集作業において、消去した動画ファイルが存在することを確認できるようにするためである。
【００３４】
以上のように、本実施形態のカメラ一体型ＶＴＲ１では、カメラ部１０１で撮影した一連の映像信号をテープ記録再生部１０５によってテープカセット１２０に記録することができる。これと同時に、テープカセット１２０に記録する映像信号の各カットをメモリカード記録再生部１２４によってメモリカード１２８に個々の動画ファイル（asfファイル）として記録することができる。また、メモリカード１２８に、個々の動画ファイルのファイル名と、それぞれのファイル名に対して個々の動画ファイルの録画開始時点のタイムコードＴＣstart及び録画停止時点のタイムコードＴＣstopとを対応させたカットテーブルＣＴＢを作成するためのＣＳＶファイルを記録することができる。
【００３５】
本実施形態では、メモリカード１２８に記録する動画ファイルをasfファイルとし、カットテーブルＣＴＢを作成するためのファイルをＣＳＶファイルとしているが、これに限定されるものではない。また、本実施形態ではカード状のメモリであるメモリカード１２８を用いているが、カメラ一体型ＶＴＲ１に対して着脱自在のランダムアクセス可能なメモリであればどのようなメモリであってもよい。但し、この種のメモリとしては半導体メモリが好ましい。
【００３６】
次に、テープカセット１２０に記録した映像信号及び音声信号を編集するために用いるＥＤＬ（Edit Decision List）と称される編集リストを作成するための編集データ作成装置及び編集データ作成プログラムについて説明する。図１において、本実施形態の編集データ作成装置２としては汎用のパーソナル・コンピュータを用いることができる。編集データ作成装置２は、この編集データ作成装置２（パーソナル・コンピュータ）全体を制御するための基本ソフトウェア（ＯＳ：Operating System）を含む各種のソフトウェアと編集データ作成プログラムとを記憶したハードディスク・ドライブ（以下、ＨＤＤ）２０１を備える。
【００３７】
図１に示すように、ＨＤＤ２０１は、編集データ作成プログラム７であるビューワプログラム７１と動画再生プログラム７２とＥＤＬ作成プログラム７３とを記憶している。ビューワプログラム７１は、メモリカード１２８からＣＳＶファイルを読み込むと共にそれぞれの動画ファイルを静止画のサムネイル画像として一覧表示するためのプログラムである。動画再生プログラム７２は、動画ファイルを再生したり、編集の開始点であるインポイントと編集の終了点であるアウトポイントとを設定するためのプログラムである。ＥＤＬ作成プログラム７３は、ＥＤＬファイルを作成するためのプログラムである。ＨＤＤ２０１は、ノンリニア編集（ＮＬＥ）を行うためのＮＬＥプログラム８も記憶している。
【００３８】
また、編集データ作成装置２は、ＣＤ−ＲやＣＤ−ＲＷに情報を書き込んだり、ＣＤ−ＲＯＭから情報を読み出すＣＤ−Ｒ／ＲＷ／ＲＯＭドライブ（以下、ＣＤドライブ）２０２と、フロッピー（登録商標）ディスク・ドライブ（以下、ＦＤＤ）２０３と、カードスロット２０４とを備える。編集データ作成プログラム７は例えばＣＤ−ＲＯＭによってユーザに提供することができる。ユーザはＣＤドライブ２０２によってＣＤ−ＲＯＭに記録された編集データ作成プログラム７を読み出して、ＨＤＤ２０１にインストールすればよい。
【００３９】
さらに、編集データ作成装置２は、パーソナル・コンピュータの全体を制御するＣＰＵ２０５と、パーソナル・コンピュータにおける種々の作業を行うため記憶領域であるＲＡＭよりなるメモリ２０６と、モニタ３に映像信号を表示させるためのグラフィックス・アクセラレータ２０７と、スピーカ４より音声を出力させるためのサウンドボード２０８と、キーボード５やマウス６からの入力信号を受け取るコントローラ２０９と、ＤＶインタフェース（ＤＶ-I/F）２１０とを備える。これらの各部はバス２１１によって接続されている。
【００４０】
テープカセット１２０に記録した映像信号及び音声信号を編集するためのＥＤＬを作成する際は、前述のように動画ファイルとＣＳＶファイルとを記録したメモリカード１２８をメモリカード記録再生部１２４のカードスロット１２７より取り出し、編集データ作成装置２のカードスロット２０４に装着する。以下、ビューワプログラム７１と動画再生プログラム７２とＥＤＬ作成プログラム７３それぞれの処理について順に説明する。
【００４１】
＜ビューワプログラム７１＞
ビューワプログラム７１を起動すると、図１０に示すように、ビューワプログラム７１の処理により、ＣＰＵ２０５はグラフィックス・アクセラレータ２０７を制御してモニタ３の画面上にビューワウィンドウ７１１を表示させる。ツールバー7117のメニューまたはアイコンＩＣＮによってメモリカード１２８内のＣＳＶファイルを読み出すと、ＣＰＵ２０５はＣＳＶファイルより個々の動画ファイルのファイル名と録画開始時点のタイムコードＴＣstartと録画停止時点のタイムコードＴＣstopとを読み出して、図１０に示すそれぞれの列7112〜7114に表示させる。
【００４２】
併せて、ＣＰＵ２０５は個々の動画ファイルの例えば先頭の映像より静止画のサムネイル画像Ｉtnを生成し、列7111に表示させる。サムネイル画像Ｉtnは先頭の映像に限定されることはなく、所定時間進んだ中間映像であってもよく、動画像であってもよい。但し、サムネイル画像Ｉtnはテープカセット１２０に録画した各カットの内容を確認できればよいので、静止画で十分である。図１０に示すビューワウィンドウ７１１の例では、列7115にピクチャサイズ（水平及び垂直方向の画素数）を表示させ、列7110にチェックボックスＣＢを表示させている。ビューワウィンドウ７１１内の表示データは、右端部に配置したスクロールバー7116によってスクロールさせることができる。
【００４３】
図１０に示すように、列7111における消去した動画ファイル（mc0002.asf）のＣＳＶファイルの各情報を表示している行には、サムネイル画像Ｉtnの代わりに“No File”と記した識別画像Ｉnfを表示しており、メモリカード１２８からファイル名mc0002.asfの動画ファイルが消去されていることを認識することができる。“No File”の識別画像Ｉnfをビューワウィンドウ７１１に表示させたくない場合には、チェックボックスＣＢのチェックを外してツールバー7117のメニューまたはアイコンＩＣＮによってファイル保存の操作を行えばよい。チェックボックスＣＢのチェックを外してファイル保存の操作を行った場合、ＣＰＵ２０５はＣＳＶファイルよりチェックを外した行のファイル名とタイムコードＴＣstart，ＴＣstopを消去し、新たなＣＳＶファイルとしてメモリカード１２８に記憶させる。この新たなＣＳＶファイルを読み出せば、“No File”の識別画像Ｉnfのないビューワウィンドウ７１１を表示することができる。
【００４４】
概略すれば、ビューワプログラム７１は、編集データ作成装置２としてのパーソナル・コンピュータに次の各ステップを実行させるものである。
ステップ１：メモリカード１２８から動画ファイルとＣＳＶファイルを読み出す。
ステップ２：ＣＳＶファイルの各ファイル名の動画ファイルよりサムネイル画像Ｉtn（または、これに加えて識別画像Ｉnf）を生成する。
ステップ３：サムネイル画像Ｉtn（識別画像Ｉnf）とＣＳＶファイルの各情報との複数の組を並べてビューワウィンドウ７１１として表示する。
【００４５】
＜動画再生プログラム７２＞
図１０のビューワウィンドウ７１１に表示されているサムネイル画像Ｉtnをマウス６によってダブルクリックすると、動画再生プログラム７２が起動するようになっている。ＣＰＵ２０５は、グラフィックス・アクセラレータ２０７を制御してモニタ３の画面上に図１１に示す動画再生ウィンドウ７２１を表示させる。動画再生ウィンドウ７２１は、動画ファイルを再生する再生領域7211と、動画ファイル再生の進行状況を示す再生状況表示領域7212と、動画ファイルの再生，停止，一時停止等を指示する再生指示領域7213と、編集の開始点であるインポイント及び編集の終了点であるアウトポイントを指定する編集ポイント指定領域7214とを備える。再生領域7211はビューワウィンドウ７１１に表示されるサムネイル画像Ｉtnよりも大きな面積を有し、それぞれのサムネイル画像Ｉtnに対応した動画ファイルの内容を動画にて確認することができる。
【００４６】
再生状況表示領域7212の左端部には再生領域7211にて動画再生する動画ファイルの録画開始時点のタイムコードＴＣstartが表示され、右端部にはその動画ファイルの録画停止時点のタイムコードＴＣstopが表示されている。再生領域7211での動画ファイル再生の進行に合わせて、再生位置表示バーＢppが再生状況表示領域7212の左端部から右端部へと移動するようになっている。再生指示領域7213は、再生釦Ｂplay，一時停止釦Ｂpause，停止釦Ｂstopと、再生時刻を直接指定する入力部Ｉgotoを備える。編集ポイント指定領域7214のインポイントとアウトポイントの欄にはそれぞれ録画開始時点のタイムコードＴＣstartと録画停止時点のタイムコードＴＣstopが入力されている。再生領域7211での動画ファイル再生の進行に合わせて、インポイント指定釦Ｂinやアウトポイント指定釦Ｂoutをマウス６によってクリックすることにより、タイムコードＴＣstart，ＴＣstop間の任意の位置でインポイント及びアウトポイントを指定することができる。
【００４７】
概略すれば、動画再生プログラム７２は、編集データ作成装置２としてのパーソナル・コンピュータに次の各ステップを実行させるものである。
ステップ４：サムネイル画像Ｉtnによって選択された動画ファイルを再生して動画再生ウィンドウ７２１内に表示する。
ステップ５：編集の開始点であるインポイントと編集の終了点であるアウトポイントの少なくとも一方を指定する。
【００４８】
＜ＥＤＬ作成プログラム７３＞
ビューワウィンドウ７１１を表示した状態でＥＤＬ作成プログラム７３を起動させると、ＥＤＬ作成プログラム７３の処理により、ＣＰＵ２０５はグラフィックス・アクセラレータ２０７を制御してモニタ３の画面上に図１２に示すＥＤＬ作成ウィンドウ７３１を表示させる。図１２においては、動画再生ウィンドウ７２１も表示させた状態を示している。また、図１２では、ビューワウィンドウ７１１と動画再生ウィンドウ７２１とＥＤＬ作成ウィンドウ７３１を簡略化して図示している。ビューワウィンドウ７１１と動画再生ウィンドウ７２１の詳細は、図１０及び図１１にて説明した通りである。ＥＤＬ作成プログラム７３を起動してＥＤＬ作成ウィンドウ７３１を表示させた初期状態においては、ＥＤＬ作成ウィンドウ７３１にはサムネイル画像Ｉtnは表示されていない。
【００４９】
図１２において、ビューワウィンドウ７１１に表示されたサムネイル画像Ｉtnにて示された動画ファイルの内、編集したい動画ファイルのサムネイル画像Ｉtnを矢印にて示すようにマウス６によって指定してＥＤＬ作成ウィンドウ７３１へと移す、いわゆるドラッグ＆ドロップを行うと、そのサムネイル画像ＩtnがＥＤＬ作成ウィンドウ７３１にもコピーされる。これにより、ＥＤＬ作成ウィンドウ７３１にコピーしたサムネイル画像Ｉtnにて示された動画ファイルがＥＤＬファイルの編集リストとして設定される。図１２に示すように動画再生ウィンドウ７２１が表示されている状態において、動画再生ウィンドウ７２１の再生領域7211を矢印にて示すようにマウス６によってドラッグ＆ドロップを行うことによっても、動画ファイルをＥＤＬファイルの編集リストとして設定することができる。
【００５０】
図１３は、図１２のように複数の動画ファイルをＥＤＬファイルの編集リストとして設定したＥＤＬ作成ウィンドウ７３１を詳細に示している。図１３に示すように、列7310には動画ファイルの番号が、列7311にはサムネイル画像Ｉtnが、列7312，7313にはタイムコードＴＣstart，ＴＣstopが表示されている。また、列7314には動画ファイルのファイル名が、列7318，7319には編集の開始点であるインポイント（編集イン），編集の終了点であるアウトポイント（編集アウト）が表示されている。
【００５１】
図１０と図１３とを比較すれば分かるように、ＥＤＬファイルの編集リストとして並べる順番は、図１０に示す行方向のサムネイル画像Ｉtnの順とは無関係に設定することができる。図１３において、No.0001，No.0003，No.0004にて示す動画ファイルは、タイムコードＴＣstart，ＴＣstop間の全ての動画ファイルを編集用画像として用いる場合を示しており、No.0002にて示す動画ファイルは、タイムコードＴＣstart，ＴＣstop間の一部分の動画ファイルを編集用画像として用いる場合を示している。No.0002にて示す動画ファイルは、上記のように動画再生ウィンドウ７２１のインポイント指定釦Ｂinとアウトポイント指定釦Ｂoutによって指定したインポイントとアウトポイントが編集インと編集アウトの時刻として設定されている。
【００５２】
即ち、ＥＤＬ作成ウィンドウ７３１における列7318，7319の編集インと編集アウトの時刻は、動画ファイルの全てを編集用画像として用いる場合にはタイムコードＴＣstart，ＴＣstopと同一であり、動画ファイルの一部分を編集用画像として用いる場合には動画再生ウィンドウ７２１にて設定した時刻（タイムコード）となる。ツールバー7317のメニューまたは図示していないアイコンによってプレビューを実行させると、動画再生プログラム７２が起動して、ＣＰＵ２０５はメモリカード１２８から動画ファイルを順次読み出して動画再生ウィンドウ７２１の再生領域7211に表示させる。そして、ツールバー7317のメニューまたはアイコンＩＣＮによってＥＤＬファイルの保存を行うと、ＣＰＵ２０５は指定された保存先（例えばＨＤＤ２０１）にＥＤＬファイルを保存する。
【００５３】
図１４はＥＤＬファイルとして構成された編集リストの一例を示している。図１４において、No.は編集の順を示す番号、MODEは編集モードである。編集モードにはアセンブルモードとインサートモードとがある。PlayINはテープカセット１２０の再生開始位置を示すタイムコード、PlayOUTはテープカセット１２０の再生停止位置を示すタイムコードであり、このPlayINとPlayOUTはテープ記録再生部１０５に装填されたテープカセット１２０の再生位置（再生範囲）を示す。RecordINはノンリニア編集を行う際のＨＤＤ（例えばＨＤＤ２０１）の記録開始時刻、RecordOUTはの記録停止時刻である。この記録開始時刻及び記録停止時刻は、記録（録画）中のみに時刻をインクリメントするタイムコードである。このＥＤＬファイルによって示される編集リストによって、テープカセット１２０に記録された映像信号のどの部分（カット）をどのような順で再生してＨＤＤ上に記録していくかが分かる。
【００５４】
概略すれば、ＥＤＬ作成プログラム７３は編集データ作成装置２としてのパーソナル・コンピュータに次の各ステップを実行させるものである。
ステップ６：ビューワウィンドウ７１１のサムネイル画像Ｉtnまたは動画再生ウィンドウ７２１の再生領域7211からのマウス６によるドラッグ＆ドロップ操作によって、ＥＤＬ作成ウィンドウ７３１にＥＤＬファイルの編集リストとして設定する動画ファイルの情報を並べる。動画ファイルの情報としては、サムネイル画像Ｉtnと編集のインポイント及びアウトポイントを含む。
ステップ７：ＥＤＬ作成ウィンドウ７３１に設定された編集リストに基づいて、テープカセット１２０に記録された映像信号をノンリニア編集するためのＥＤＬファイルを作成する。
【００５５】
次に、以上のように作成したＥＤＬファイルを用いたノンリニア編集について説明する。ノンリニア編集はテープカセット１２０に記録された映像信号を編集してＨＤＤに記録するものである。本実施形態の編集データ作成装置２においては、ＨＤＤ２０１がノンリニア編集を行うためのＮＬＥプログラム８も記憶しており、編集データ作成装置２がノンリニア編集機にもなっている。図１に示すように、カメラ一体型ＶＴＲ１によってテープカセット１２０を再生して編集データ作成装置２によってノンリニア編集を行う場合の動作について説明する。ここでは、ＥＤＬファイルはＨＤＤ２０１に保存されているものとする。
【００５６】
図１において、カメラ一体型ＶＴＲ１のＤＶインタフェース１２３と編集データ作成装置２のＤＶインタフェース２１０とがケーブル９にて接続されている。ＤＶインタフェース１２３，２１０は映像信号と音声信号と制御信号とを互いに送受信するものである。編集データ作成装置２のＣＰＵ２０５は、ＮＬＥプログラム８の処理により、ＥＤＬファイルを参照しながらカメラ一体型ＶＴＲ１でのテープカセット１２０の再生開始及び停止を制御する制御信号を順次生成する。この制御信号はＤＶインタフェース１２３，２１０を介してカメラ一体型ＶＴＲ１のＣＰＵ１２１に入力される。ＣＰＵ１２１は入力された制御信号に基づいてテープ記録再生部１０５に装填されたテープカセット１２０の再生開始及び停止を制御する。
【００５７】
テープカセット１２０より再生された映像信号及び音声信号はＣＰＵ１２１及びＤＶインタフェース１２３，２１０を介して順次ＨＤＤ２０１に取り込まれ、各カットが編集された状態でＨＤＤ２０１に記録される。この本実施形態によるノンリニア編集によれば、ＥＤＬファイルとして構成された編集リストに基づいて、テープ記録再生部１０５でのテープカセット１２０の再生を選択的に行うため、テープカセット１２０に記録された映像信号の全てをＨＤＤ２０１に取り込む必要がない。また、ランダムアクセス可能なメモリカード１２８に記録された動画ファイルによって各カットの内容を確認した上で編集リストを作成することができ、各カットを部分的に選択した上で編集用画像として編集リストに設定することができる。よって、本実施形態の編集データ作成装置及び編集データ作成プログラムによれば、編集作業を大幅に効率化することができる。
【００５８】
一方、ノンリニア編集を編集データ作成装置２によって行わず、他のパーソナル・コンピュータにて行う場合には、ＥＤＬファイルを他のパーソナル・コンピュータにて読み込んで以上と同様な手順により行えばよい。この場合、ＥＤＬファイルをＣＤドライブ２０２によってＣＤ−ＲやＣＤ−ＲＷに記録したり、ＦＤＤ２０３によってフロッピー（登録商標）ディスクに記録して、他のパーソナル・コンピュータにて利用すればよい。また、ＥＤＬファイルをネットワークにより他のパーソナル・コンピュータに伝送してもよい。
【００５９】
さらに、ノンリニア編集を編集データ作成装置２によって行う場合、他のパーソナル・コンピュータにて行う場合のいずれも場合においても、テープカセット１２０を再生する再生装置はテープカセット１２０に記録を行ったカメラ一体型ＶＴＲ１でなくてもよい。他のカメラ一体型ＶＴＲや据置型の再生装置を用いてもよい。本発明は以上説明した本実施形態に限定されることはなく、本発明の趣旨を逸脱しない範囲において種々変更可能である。
【図面の簡単な説明】
【００６０】
【図１】本発明の映像記録装置及び編集データ作成装置の一実施形態を示すブロック図である。
【図２】図１中のテープ記録再生部１０５の具体的構成例を示すブロック図である。
【図３】テープの記録パターンの一例を示す図である。
【図４】タイムコードの一例を示す図である。
【図５】本発明の映像記録装置の外観の一例を示す斜視図である。
【図６】本発明の映像記録装置の外観の一例を示す斜視図である。
【図７】図１中のＣＰＵ１２１の処理手順を示すフローチャートである。
【図８】図１中のＣＰＵ１２５の処理手順を示すフローチャートである。
【図９】図１中のメモリカード１２８に記録されるＣＳＶファイル及びこのＣＳＶファイルに基づいて作成されるカットテーブルの一例を示す図である。
【図１０】ビューワプログラム７１に基づいて表示されるビューワウィンドウの一例を示す図である。
【図１１】動画再生プログラム７２に基づいて表示される動画再生ウィンドウの一例を示す図である。
【図１２】ビューワウィンドウと動画再生ウィンドウとＥＤＬ作成プログラム７３に基づいて表示されるＥＤＬ作成ウィンドウとを併せて表示した状態の一例を示す図である。
【図１３】ＥＤＬ作成ウィンドウの一例を示す図である。
【図１４】ＥＤＬファイルとして構成された編集リストの一例を示す図である。
【符号の説明】
【００６１】
１  カメラ一体型ＶＴＲ
２  編集データ作成装置（パーソナル・コンピュータ）
７  編集データ作成プログラム
８  ＮＬＥプログラム
７１  ビューワプログラム
７２  動画再生プログラム
７３  ＥＤＬ作成プログラム
１０１  カメラ部（映像信号入力部）
１０５  テープ記録再生部（第１の記録部）
１０８  タイムコード発生部
１２０  テープカセット
１２４  メモリカード記録再生部（第２の記録部）
１２８  メモリカード
２１１  ハードディスク・ドライブ
【図１】
2005109923.tif 000003
【図２】
2005109923.tif 000004
【図３】
2005109923.tif 000005
【図４】
2005109923.tif 000006
【図５】
2005109923.tif 000007
【図６】
2005109923.tif 000008
【図７】
2005109923.tif 000009
【図８】
2005109923.tif 000010
【図９】
2005109923.tif 000011
【図１０】
2005109923.tif 000012
【図１１】
2005109923.tif 000013
【図１２】
2005109923.tif 000014
【図１３】
2005109923.tif 000015
【図１４】
2005109923.tif 000016